(57)【要約】【課題】製紙工程において発生するピッチ障害を効率よく防止することができる製紙工程用ピッチコントロール剤およびそれを用いるピッチ障害防止方法を提供することを課題とする。【解決手段】水溶性アルミニウム化合物と、デンプン、変性デンプンおよびそれらの分解物から選択されるデンプン成分とを、相乗効果を奏する割合で有効成分として含有することを特徴とする製紙工程用ピッチコントロール剤により、上記の課題を解決する。【選択図】図１
2016169465.tif 000002
【特許請求の範囲】
【請求項１】
水溶性アルミニウム化合物と、デンプン、変性デンプンおよびそれらの分解物から選択されるデンプン成分とを、相乗効果を奏する割合で有効成分として含有することを特徴とする製紙工程用ピッチコントロール剤。
【請求項２】
前記水溶性アルミニウム化合物が、ポリ塩化アルミニウム、高塩基性塩化アルミニウム、水酸化アルミニウム、ヒドロキシ塩化アルミニウム、硝酸アルミニウムおよび硫酸アルミニウムから選択される１種または２種以上である請求項１に記載の製紙工程用ピッチコントロール剤。
【請求項３】
前記水溶性アルミニウム化合物が、ポリ塩化アルミニウム、高塩基性塩化アルミニウムおよび硫酸アルミニウムから選択される１種または２種以上である請求項１または２に記載の製紙工程用ピッチコントロール剤。
【請求項４】
前記デンプン成分が、デンプン、ヒドロキシアルキル化デンプン、カルボキシアルキル化デンプン、カチオン化デンプン、架橋デンプンおよび多孔質デンプンならびにそれらの分解物から選択される１種または２種以上である請求項１〜３のいずれか１つに記載の製紙工程用ピッチコントロール剤。
【請求項５】
前記デンプン成分が、デンプン、デキストリン、ヒドロキシプロピル化デンプン分解物、カチオン化デンプン、ヒドロキシアルキル化リン酸架橋デンプンおよび多孔質デンプンから選択される１種または２種以上である請求項１〜４のいずれか１つに記載の製紙工程用ピッチコントロール剤。
【請求項６】
前記水溶性アルミニウム化合物が高塩基性塩化アルミニウムであり、かつ前記デンプン成分がヒドロキシプロピル化デンプン分解物またはデキストリンである請求項１〜５のいずれか１つに記載のピッチコントロール剤。
【請求項７】
前記水溶性アルミニウム化合物と前記デンプン成分との配合割合が質量比で１：０．０１〜１：３である請求項１〜６のいずれか１つに記載の製紙工程用ピッチコントロール剤。
【請求項８】
製紙工程中のパルプスラリーに、有効成分として請求項１〜７のいずれか１つに記載のピッチコントロール剤を、絶乾パルプ質量に対して０．０１〜１００ｇ／ｋｇ添加して、ピッチによる紙製品の品質低下を防止することを特徴とするピッチ障害防止方法。
【発明の詳細な説明】
【技術分野】
【０００１】
本発明は、製紙工程において使用し、製造装置類およびパルプへのピッチの付着を抑制し、ピッチによる紙製品の品質低下を防止するためのピッチコントロール剤（「ピッチ障害防止剤」ともいう）およびそれを用いた方法に関する。
【背景技術】
【０００２】
従来から、紙およびパルプの製造工程においてはピッチによる障害が発生し、これを抑制・防止するため、様々な薬剤の開発が行われてきた。このピッチとは、木材やパルプおよび紙から遊離した天然樹脂やガム物質、さらには紙およびパルプの製造工程で使用される添加剤などに由来する有機物を主体とする非水溶性の粘着物質のことをいう。
【０００３】
一般に、ピッチは、紙およびパルプの製造工程の白水中では、コロイド状になって分散しているが、何らかの外的作用、例えば、大きな剪断力、ｐＨの急激な変化、硫酸バンド（硫酸アルミニウム）の過剰添加などによりコロイド状態が破壊されて、凝集、巨大化するものと考えられている。この凝集、巨大化したピッチは、その粘着性により、紙やパルプ、さらにはファンポンプ、配管内、チェスト、ワイヤー、フェルト、ロールなどの製造装置類に付着するだけでなく、この付着物が剥離して紙やパルプに再付着する。このようにして形成される紙の汚点・欠点が紙製品の品質を低下させる。また、発生する断紙が生産性・作業性を低下させるなどの障害を引き起こす。近年、紙の多様化により添加剤の種類やその使用量が増加し、製造工程中で使用する水のクローズド化が高くなるにつれて、従来にも増してピッチ障害の発生が増加するとともに、その発生形態が複雑化している。
【０００４】
このようなピッチ障害を抑制する方法として、微細タルクなどの無機系化合物にピッチ成分を吸着させる方法、凝集する前のピッチ粒子をパルプ繊維に定着させる方法、ピッチ粒子を分散させる方法およびこれらを組み合わせた方法などが提案され、実用化されている。
例えば、特開２００４−２１８１１８号公報（特許文献１）には、特定のＮ値（窒素の質量％）および粘度を有する低粘度化したカチオン化デンプンから構成されるピッチコントロール剤が開示されている。
しかしながら、従来の添加剤や方法ではピッチ障害の防止効果が充分とはいえず、さらに有効な薬剤や方法が望まれている。
【０００５】
また、特開平０３−４５７９９号公報（特許文献２）には、ポリ塩化アルミニウムのような水溶性アルミニウム塩と両性デンプン、水膨潤性カチオン共重合体およびベントナイトを添加する中性紙の製造方法が、特開昭６３−２７５７９５号公報（特許文献３）には、カチオン化デンプンと両性アクリルアミド系ポリマーとの混合物に由来する共重合体と、ポリ塩化アルミニウムのような縮合水和アルミニウム塩を添加する製紙方法が開示されている。
しかしながら、上記の中性紙の製造方法および製紙方法は、製紙工程における歩留まり向上を目的としており、ｐＨが１０程度の高アルカリ雰囲気下でのピッチ障害の防止効果についても具体的に検討されていない。
【０００６】
なお、本発明の課題とは異なるものであり、製紙工程のピッチ障害の防止効果については記載されていないが、特表２０１２−５３１３０１号公報（特許公報４）には、デンプンなどをカチオン化した成分と、アルミニウムの両性塩などの多塩基性金属塩と、ポリマーとを含む、塗料および表面処理産業における水流からの塗料および吹き付け残渣の改善された分離のための組成物が開示されている。
【先行技術文献】
【特許文献】
【０００７】
【特許文献１】特開２００４−２１８１１８号公報
【特許文献２】特開平０３−４５７９９号公報
【特許文献３】特開昭６３−２７５７９５号公報
【特許文献４】特表２０１２−５３１３０１号公報
【発明の概要】
【発明が解決しようとする課題】
【０００８】
しかしながら、上記の先行技術で使用される添加剤には、それぞれ問題がある。
例えば、無機系化合物の微細タルクでは、質量当たりの効果が弱く、高い添加率を必要とするためコスト高になり、一方コストに合わせると添加量が減り、ピッチの十分な抑制効果を得ることが難しいという問題がある。
また、ピッチ障害の防止効果が十分ではないため、蒸解工程を経て洗浄されたあとのパルプスラリーに添加する場合などのようにｐＨが１０程度の高アルカリ雰囲気下で上記添加剤やノニオン系界面活性剤、カチオンポリマーおよび微細タルクなどの従来のピッチコントロール剤を使用すると、過剰量の添加が必要となりコストが高くなるという問題がある。
そこで、本発明は、製紙工程において発生するピッチ障害を効率よく防止することができる製紙工程用ピッチコントロール剤およびそれを用いるピッチ障害防止方法を提供することを課題とする。
【課題を解決するための手段】
【０００９】
本発明の発明者らは、上記の課題を解決するために鋭意研究を重ねた結果、高塩基性塩化アルミニウムのような水溶性アルミニウム化合物と、ヒドロキシプロピル化デンプン分解物などの変性デンプンとを、特定の割合で併用することにより、それらの相乗効果で、製紙工程において発生するピッチ障害を効率よく防止でき、しかも高アルカリ環境下でも十分に効果を発揮する事実を見出し、本発明を完成するに到った。
【００１０】
かくして、本発明によれば、水溶性アルミニウム化合物と、デンプン、変性デンプンおよびそれらの分解物から選択されるデンプン成分とを、相乗効果を奏する割合で有効成分として含有することを特徴とする製紙工程用ピッチコントロール剤が提供される。
【００１１】
また、本発明によれば、製紙工程中のパルプスラリーに、有効成分として上記のピッチコントロール剤を、絶乾パルプ質量に対して０．０１〜１００ｇ／ｋｇ添加して、ピッチによる紙製品の品質低下を防止することを特徴とするピッチ障害防止方法が提供される。
【発明の効果】
【００１２】
本発明によれば、製紙工程において発生するピッチ障害を効率よく防止することができる製紙工程用ピッチコントロール剤およびそれを用いるピッチ障害防止方法を提供することができる。すなわち、本発明の製紙工程用ピッチコントロール剤は、低い添加率で高いピッチ障害防止効果が得られ、コストの低減を図ることができる。
【００１３】
また、本発明の製紙工程用ピッチコントロール剤は、次の少なくともいずれか１つの要件：
（１）水溶性アルミニウム化合物が、ポリ塩化アルミニウム、高塩基性塩化アルミニウム、水酸化アルミニウム、ヒドロキシ塩化アルミニウム、硝酸アルミニウムおよび硫酸アルミニウムから選択される１種または２種以上である
（２）水溶性アルミニウム化合物が、ポリ塩化アルミニウム、高塩基性塩化アルミニウムおよび硫酸アルミニウムから選択される１種または２種以上である
（３）デンプン成分が、デンプン、ヒドロキシアルキル化デンプン、カルボキシアルキル化デンプン、カチオン化デンプン、架橋デンプンおよび多孔質デンプンならびにそれらの分解物から選択される１種または２種以上である
（４）デンプン成分が、デンプン、デキストリン、ヒドロキシプロピル化デンプン分解物、カチオン化デンプン、ヒドロキシアルキル化リン酸架橋デンプンおよび多孔質デンプンから選択される１種または２種以上である
（５）水溶性アルミニウム化合物が高塩基性塩化アルミニウムであり、かつ前記デンプン成分がヒドロキシプロピル化デンプン分解物またはデキストリンである
（６）水溶性アルミニウム化合物と前記デンプン成分との配合割合が質量比で１：０．０１〜１：３である
を満足する場合に、上記の効果をさらに発揮する。
【図面の簡単な説明】
【００１４】
【図１】ｐＨ８．５のパルプスラリーにおける高塩基性塩化アルミニウムとヒドロキシプロピル化デンプン分解物とのピッチ障害防止の相乗効果を示す図である。
【図２】ｐＨ１０のパルプスラリーにおける高塩基性塩化アルミニウムとヒドロキシプロピル化デンプン分解物とのピッチ障害防止の相乗効果を示す図である。
【図３】ｐＨ８．５のパルプスラリーにおける硫酸アルミニウムとヒドロキシプロピル化デンプン分解物とのピッチ障害防止の相乗効果を示す図である。
【図４】ｐＨ８．０のパルプスラリーにおける高塩基性塩化アルミニウムとデキストリンとのピッチ障害防止の相乗効果を示す図である。
【図５】試験例１において用いたパルプピッチ付着試験機の模式図である。
【発明を実施するための形態】
【００１５】
（１）製紙工程用ピッチコントロール剤
本発明の製紙工程用ピッチコントロール剤は、水溶性アルミニウム化合物と、デンプン、変性デンプンおよびそれらの分解物から選択されるデンプン成分とを、相乗効果を奏する割合で有効成分として含有することを特徴とする。
【００１６】
［水溶性アルミニウム化合物］
本発明において用いる水溶性アルミニウム化合物は、後述のデンプン成分と相乗効果を発揮するものであれば特に限定されない。
水溶性アルミニウム化合物としては、例えば、ポリ塩化アルミニウム、高塩基性塩化アルミニウム、水酸化アルミニウム、ヒドロキシ塩化アルミニウム、硝酸アルミニウムおよび硫酸アルミニウムが挙げられ、本発明においては、これらの中の１種を単独でまたは２種以上を組み合せて用いることができる。
これらの中でも、ピッチ障害の防止効果の点で、ポリ塩化アルミニウム、高塩基性塩化アルミニウムおよび硫酸アルミニウムから選択される１種または２種以上が好ましい。
【００１７】
ポリ塩化アルミニウムおよび高塩基性塩化アルミニウムは、Ａｌ2Ｏ3換算濃度および塩基度の異なる市販品があり、特に両濃度の高いものが一般に高塩基性塩化アルミニウムと称されている。
ポリ塩化アルミニウムは、例えば、水酸化アルミニウムを塩酸に溶解させたときに得られる塩基性塩化アルミニウムの重合体[Ａｌ2(ＯＨ)aＣｌ6-a]b（式中、ａおよびｂは塩基度による変数であり、ａは１以上５以下、ｂは１０以下の整数である）であり、水処理凝集剤として知られている。その塩基度Ｂ（％）は変数ａを用いて、Ｂ＝（ａ／６）×１００で示され、変動する。一般的にＢ＝４０〜６５％の組成のものが市販されており容易に入手できる。
ポリ塩化アルミニウムは、公知の方法により合成したものであってもよいが、実施例において用いられているような市販のものであってもよい。
【００１８】
高塩基性塩化アルミニウムは、水酸化アルミニウムが重縮合することにより形成される無機のイオン性ポリマーＡｌc(ＯＨ)dＣｌ3c-d（式中、ｃおよびｄは塩基度による変数であり、ｃは通常１以上５未満、ｄは９以下の整数が一般的である）である。多核錯体となっているためアルミニウム単原子イオンより高い陽電荷を有しており、通常のアルミニウム塩に比べて酸根が１／４〜１／６当量しか分子中に含まれていない。その塩基度Ｂ（％）は変数ｃとｄを用いて、Ｂ＝（ｄ／３ｃ）×１００で示され、変動する。一般的にＢ＝７０〜８５％の組成のものが市販されており容易に入手できる。
高塩基性塩化アルミニウムは、公知の方法により合成したものであってもよいが、実施例において用いられているような市販のものであってもよい。
【００１９】
［デンプン成分］
本発明において用いるデンプン成分は、デンプン、変性デンプンおよびそれらの分解物から選択され、前述の水溶性アルミニウム化合物と相乗効果を発揮するものであれば特に限定されない。
デンプンとしては、トウモロコシ、コメ、小麦、ジャガイモ（馬鈴薯）、タピオカ、サツマイモなどを原料として、公知の方法により精製処理などに付したデンプン（生デンプン）が挙げられる。
【００２０】
変性デンプンとしては、例えば、ヒドロキシアルキル化デンプン、カルボキシアルキル化デンプンおよびカチオン化デンプンなどのエーテル化デンプン；酢酸デンプン、オクテニルコハク酸デンプンおよびリン酸デンプンなどのエステル化デンプン；架橋デンプン；グラフト化デンプン；多孔質デンプンなどが挙げられる。
【００２１】
ヒドロキシアルキル化デンプンとしては、公知の方法により上記のデンプンにヒドロキシアルキル基をエーテル化により導入したものが挙げられる。
ここで、アルキルは炭素数１〜４程度であり、ヒドロキシアルキル化デンプンとしては、ヒドロキシメチル化デンプン、ヒドロキシエチル化デンプン、ヒドロキシプロピル化デンプンなどが挙げられる。
【００２２】
カルボキシアルキル化デンプンとしては、公知の方法により上記のデンプンにカルボキシアルキル基をエーテル化により導入したものが挙げられる。
ここで、アルキルは炭素数１〜４程度であり、カルボキシアルキル化デンプンとしては、カルボキシメチル化デンプン、カルボキシエチル化デンプン、カルボキシプロピル化デンプンなどが挙げられ、これらの中でも、ピッチ障害の防止効果および化合物としての入手し易さの点で、カルボキシメチル化デンプンが特に好ましい。
【００２３】
カチオン化デンプンとしては、公知の方法により上記のデンプンをカチオン化したものが挙げられる。
【００２４】
架橋デンプンとしては、公知の方法により上記のデンプンを架橋したものが挙げられる。リン酸ジデンプン、グリセロールジデンプンおよびヒドロキシアルキル化リン酸架橋デンプンなどが挙げられる。
ここで、アルキルは炭素数１〜４程度であり、ヒドロキシアルキル化リン酸架橋デンプンとしては、ヒドロキシメチル化リン酸架橋デンプン、ヒドロキシエチル化リン酸架橋デンプン、ヒドロキシプロピル化リン酸架橋デンプンなどが挙げられ、これらの中でもピッチ障害の防止効果および化合物としての入手し易さの点で、ヒドロキシプロピル化リン酸架橋デンプンが特に好ましい。
【００２５】
多孔質デンプンとしては、公知の方法、例えば、上記のデンプンや変性デンプンを酵素や酸で分解し、乾燥して粉末状にしたものが挙げられ、実施例において用いられているような市販のものであってもよい。
【００２６】
上記のデンプン成分の分解物としては、上記のデンプン成分の一部または全部を酸または酵素により、好ましくは酵素により加水分解したものが挙げられる。
デンプン成分の分解物としては、例えば、上記のデンプンの加水分解により得られる低分子量の炭化水素化合物であるデキストリンが挙げられる。
【００２７】
デンプン成分は、公知の方法により合成（処理）したものであってもよいが、実施例において用いられているような市販のものであってもよい。
本発明においては、上記のデンプン成分の１種を単独でまたは２種以上を組み合せて用いることができる。
上記のデンプン成分の中でも、ピッチ障害の防止効果の点で、デンプン、ヒドロキシアルキル化デンプン、カルボキシアルキル化デンプン、カチオン化デンプン、架橋デンプンおよび多孔質デンプンならびにそれらの分解物から選択される１種または２種以上であるのが好ましく、デンプン、デキストリン、ヒドロキシプロピル化デンプン分解物、カチオン化デンプン、ヒドロキシアルキル化リン酸架橋デンプンおよび多孔質デンプンから選択される１種または２種以上であるのがより好ましく、ヒドロキシプロピル化デンプン分解物およびデキストリンなどのような分解物が製剤の容易性などの点で特に好ましい。
上記のように、本発明においては、水溶性アルミニウム化合物が高塩基性塩化アルミニウムであり、かつデンプン成分がヒドロキシプロピル化デンプン分解物またはデキストリンである組み合わせが特に好ましい。
【００２８】
［配合割合］
水溶性アルミニウム化合物とデンプン成分との配合割合、すなわち両者が相乗効果を奏する割合は、両者の種類や添加の条件（ｐＨ、温度など）により変化するが、通常、質量比で１：０．０１〜１：３であるのが好ましい。
水溶性アルミニウム化合物１に対して、デンプン成分が０．０１未満、すなわち高塩基性塩化アルミニウムが過剰である場合、およびデンプン成分が３を超える、すなわち高塩基性塩化アルミニウムが過少である場合、両者の優れた相乗効果が得られず、また前者ではピッチが過剰に凝集し析出することがあり、後者ではピッチ同士の凝集を妨げることができず後工程で障害となることがある。
より好ましい配合割合は、質量比で１：０．０１〜１：１であり、特に好ましい範囲は１：０．０１〜１：０．５である。
【００２９】
具体的な水溶性アルミニウム化合物とデンプン成分との組み合わせにおける好ましい配合割合を列挙する。
高塩基性塩化アルミニウムとヒドロキシプロピル化デンプン分解物との好ましい配合割合（ｐＨ８．５のパルプスラリーへの添加時）は、質量比で１：０．０１〜１：３であり、特に好ましい範囲は１：０．１〜１：３である。
高塩基性塩化アルミニウムとヒドロキシプロピル化デンプン分解物との好ましい配合割合（ｐＨ１０のパルプスラリーへの添加時）は、質量比で１：０．０１〜１：３であり、特に好ましい範囲は１：０．１〜１：０．５である。
硫酸アルミニウムとヒドロキシプロピル化デンプン分解物との好ましい配合割合（ｐＨ８．５のパルプスラリーへの添加時）は、質量比で１：０．０１〜１：３であり、特に好ましい範囲は１：０．１〜１：０．５である。
高塩基性塩化アルミニウムとデキストリンとの好ましい配合割合（ｐＨ８．０のパルプスラリーへの添加時）は、質量比で１：０．０１〜１：３であり、特に好ましい範囲は１：０．１〜１：０．５である。
【００３０】
［製紙工程用ピッチコントロール剤］
本発明の製紙工程用ピッチコントロール剤は、通常液剤の形態で製剤化して用いるのが好ましい。
液剤とする場合には、溶剤として水を用いた液剤とするのが好ましい。
その液剤濃度は、添加対象のパルプスラリー濃度やピッチ成分の種類、量、抄造条件などにより適宜設定すればよいが、通常、１０〜５００ｇ／ｋｇである。
液剤濃度が１０ｇ／ｋｇ未満の場合、添加対象に液剤を多量に添加する必要があることがある。一方、液剤濃度が５００ｇ／ｋｇを超える場合、液剤の取り扱いが難しくなることがある。
好ましい濃度は、５０〜５００ｇ／ｋｇである。
【００３１】
（２）ピッチ障害防止方法
本発明のピッチ障害防止方法は、製紙工程中のパルプスラリーに、有効成分として上記のピッチコントロール剤を、絶乾パルプ質量に対して０．０１〜１００ｇ／ｋｇ添加して、ピッチによる紙製品の品質低下を防止することを特徴とする。
【００３２】
ピッチコントロール剤の添加量が０．０１ｇ／ｋｇ未満の場合、ピッチ障害の防止効果が充分に得られないことがあるので好ましくない。一方、ピッチコントロール剤の添加量が１００ｇ／ｋｇを超える場合、ピッチが凝集するだけでなく、パルプ繊維や微細繊維などが凝集を起こしたり、紙の地合いなどに悪影響を及ぼすことがあるので好ましくない。なお、ピッチ成分の種類、量、抄造条件などによっては、前記のような悪影響を及ぼさないこともあり、そのような場合には、上記の範囲を超えて本発明のピッチコントロール剤を添加しても許容されることもある。
好ましいピッチコントロール剤の添加量は、０．０１〜２０ｇ／ｋｇである。
【００３３】
本発明のピッチ障害防止方法は、ピッチ障害が発生しているか、あるいは発生する可能性のある製紙工程に適用できる。具体的には、製紙工程においてピッチ障害が発生している段階あるいはその前段階のパルプスラリーや白水に添加することにより、その目的を達成することができる。
【００３４】
添加方法としては、製紙工程の各段階における機器またはそれらをつなぐ配管内に本発明のピッチコントロール剤を、所要の濃度になるように添加する方法が挙げられる。
【実施例】
【００３５】
本発明を以下の製剤例および試験例により具体的に説明するが、本発明はこれらにより限定されるものではない。
【００３６】
製剤例では次の化合物を用いた。
［水溶性アルミニウム化合物］
・ポリ塩化アルミニウム：ＰＡＣ
（含量Ａｌ2Ｏ3として３０質量％、大明化学工業株式会社製、製品名：ポリ塩化アルミニウム粉末パック、塩基度：４０〜６０％）
・高塩基性塩化アルミニウム：ＡＡ
（含量Ａｌ2Ｏ3として２３．５質量％、多木化学工業株式会社製、製品名：タキバイン＃１５００、塩基度：８２〜８５％）
・硫酸アルミニウム：ＡＳ
（含量Ａｌ2（ＳＯ4）3として５４質量％、キシダ化学株式会社製、製品名：硫酸アルミニウム（１４〜１８水））
【００３７】
［デンプン成分］
・デンプン：Ｓｔ
（含量１００質量％、和光純薬工業株式会社製、製品名：でんぷん、とうもろこし由来）
・カチオン化デンプン：ＣＳ
（含量１００質量％、日本食品化工株式会社製、製品名：ネオタック♯３０Ｔ）
・ヒドロキシプロピル化デンプン分解物：ＨＰＳ
（含量１００質量％、日澱化学株式会社製、製品名：ＰＥＮＯＮ  ＰＫＷ）
・デキストリン：ＤＳ
（含量１００質量％、松谷化学工業株式会社製、製品名：ＴＫ−１６）
・ヒドロキシプロピル化リン酸架橋デンプン：ＨＳ
（含量１００質量％、松谷化学工業株式会社製、製品名：松谷あさがお）
・多孔質デンプン：ＯＷＰ
（含量１００質量％、日澱化学株式会社製、製品名：ロンフードＯＷＰ）
・多孔質デンプン：Ｑ
（含量１００質量％、日澱化学株式会社製、製品名：オイルＱ ５０）
【００３８】
［公知のピッチコントロール剤］
・ノニオン系界面活性剤：ＮＳ
（含量１００質量％、和光純薬工業株式会社製、製品名：ポリオキシエチレン(10)ヒマシ油）
・カチオン系ポリマー：ＣＰ
（含量２０質量％、和光純薬工業株式会社製、製品名：ポリ塩化ジアリルジメチルアンモニウム）
・タルク：Talc
（含量１００質量％、キシダ化学株式会社製、製品名：タルク）
【００３９】
［製剤例１］
撹拌機（新東科学株式会社製、製品名：スリーワンモーター、型式：ＢＬ１２００）を備えた１Ｌのガラス製ビーカーに純水７２６ｇを入れ、回転数４００ｒｐｍで撹拌しながら、デンプン成分としてのヒドロキシプロピル化デンプン分解物ＨＰＳを１１２ｇ添加し、１時間保持した。
その後、水溶性アルミニウム化合物としての高塩基性塩化アルミニウムＡＡを１６２ｇ添加し、１０分撹拌して、有効成分として濃度１５０ｇ／ｋｇのピッチコントロール剤１（製剤１）を得た。
絶乾パルプ質量に対してピッチコントロール剤が１５．０ｇ／ｋｇとなるように製剤１を添加する際において、絶乾１５０ｇのパルプに対して製剤１は有効成分として１５ｇ添加することになる。このとき、製剤１中のデンプン成分の配合量Ｓと水溶性アルミニウム化合物の配合量Ａは表１に記載のとおり、それぞれ１１．２ｇ／ｋｇおよび３．８ｇ／ｋｇであり、それらの配合割合Ｓ／Ａは２．９５である。
【００４０】
［製剤例２〜６］
デンプン成分ＨＰＳおよび水溶性アルミニウム化合物ＡＡの配合量を表１に記載のように変更すること以外は製剤例１と同様にして、製剤２〜６を得た。
【００４１】
［製剤例７］
製剤例１と同様の撹拌機を備え、温度９０℃に制御された温浴に設置した１Ｌのガラス製ビーカーに純水４２０ｇを入れ、回転数４００ｒｐｍで撹拌しながら、デンプン成分としてのデンプンＳｔを１８ｇ添加し、１時間保持した。
その後、温浴の温度を４０℃まで低下させ、混合物を冷却した後、水溶性アルミニウム化合物としての高塩基性塩化アルミニウムＡＡを５６２ｇ添加し、１０分撹拌して、有効成分として濃度１５０ｇ／ｋｇのピッチコントロール剤７（製剤７）を得た。
製剤７のデンプン成分の配合量Ｓと水溶性アルミニウム化合物の配合量Ａは、それぞれ１．８ｇ／ｋｇおよび１３．２ｇ／ｋｇであり、それらの配合割合Ｓ／Ａは０．１４である。
【００４２】
［製剤例８〜１０］
デンプン成分と水溶性アルミニウム化合物との配合割合Ｓ／Ａを０．１４に、水溶性アルミニウム化合物を高塩基性塩化アルミニウムＡＡに固定し、デンプン成分として、それぞれカチオン化デンプンＣＳ、デキストリンＤＳおよびヒドロキシプロピル化リン酸架橋デンプンＨＳを用いること以外は上記の製剤例と同様にして、製剤８〜１０を得た。
但し、デンプン成分がデキストリンおよびヒドロキシプロピル化デンプン分解物のような分解物である場合には、製剤化の過程で加温しなかった（以下の製剤例でも同様）。
【００４３】
［製剤例１１〜１３］
デンプン成分と水溶性アルミニウム化合物との配合割合Ｓ／Ａを０．１４に、水溶性アルミニウム化合物をポリ塩化アルミニウムＰＡＣに固定し、デンプン成分として、それぞれカチオン化デンプンＣＳ、ヒドロキシプロピル化デンプン分解物ＨＰＳおよびデキストリンＤＳを用いること以外は上記の製剤例と同様にして、製剤１１〜１３を得た。
【００４４】
［製剤例１４および１５］
デンプン成分としてのヒドロキシプロピル化デンプン分解物ＨＰＳと、水溶性アルミニウム化合物としての硫酸アルミニウムＡＳとを表１に示す配合割合で用いること以外は上記の製剤例と同様にして、製剤１４および１５を得た。
【００４５】
［比較製剤例１〜１２］
デンプン成分または水溶性アルミニウム化合物および公知のピッチコントロール剤であるノニオン系界面活性剤、カチオン系ポリマーまたはタルクを表１に示す配合量で用いること以外は上記の製剤例と同様にして、比較製剤１〜１２を得た。
【００４６】
［製剤例１６〜２０および比較製剤例１３〜１８］
デンプン成分および／または水溶性アルミニウム化合物を表２に示す配合量で用いること以外は上記の製剤例と同様にして、製剤１６〜２０および比較製剤１３〜１８を得た。
【００４７】
試験例１［ピッチ付着の抑制効果の確認試験］
ＪＡＰＡＮ  ＴＡＰＰＩ（日本紙パルプ技術協会）紙パルプ試験方法Ｎｏ.１１：２０００「パルプ−ピッチの金網付着量試験方法」に準じてピッチ付着の抑制効果の確認試験を実施した。
なお、図５は、試験例１において用いたパルプピッチ付着試験機の模式図である。
絶乾１５０ｇの針葉樹未晒クラフトパルプ（ＮＵＫＰ）を温度５０℃の温水で濃度３％に離解して３Ｌのガラス容器に入れ、さらに予めロジン（キシダ化学株式会社製、製品名：ロジン）１０ｇおよびテレピン油（キシダ化学株式会社製、製品名：テレピン油）１０ｇをエタノール８０ｇに溶解させて調製しておいたピッチ分を添加した。
【００４８】
次いで、ガラス容器（図５の図番２）を温度５０℃の恒温水槽（図５の図番１）に入れ、ｐＨ無調整の場合（ｐＨ８．５）と、高アルカリ雰囲気下を想定して水酸化カルシウム水溶液を用いてｐＨ調整した場合（ｐＨ１０）のそれぞれについて、表１および２に記載の製剤または比較製剤を、絶乾パルプ質量に対して１５ｇ／ｋｇになるように添加した。
但し、製剤５は７．５ｇ／ｋｇ、製剤６は３．０ｇ／ｋｇ、比較製剤４は７．５ｇ／ｋｇ、比較製剤１２は１６０ｇ／ｋｇになるように添加した。
製剤１〜１５および比較製剤１〜１２についてはｐＨ８．５で、製剤１６〜２０および比較製剤１３〜１８についてはｐＨ１０で試験した。（表１がｐＨ８．５、表２が１０の試験結果である。）
次いで、半径７０ｍｍの１／４円形の真鍮製の枠に製紙用金網を貼り付けた羽根１２枚（図５の図番４）をシャフト（かきまぜ棒、図５の図番３）に約１０度の傾斜でらせん状に取り付けた撹拌機（新東科学株式会社製、製品名：スリーワンモーター、型式：ＢＬ１２００）を用いて、羽根の回転によってパルプが押し上げられる方向に回転数２００ｒｐｍで６０分間撹拌した。
【００４９】
撹拌終了後、羽根付きのシャフトを取り出し、水を入れた適当な容器中で緩やかに洗浄し、付着したパルプを洗い落とし、再び撹拌機に取り付け１０分間空転して乾燥させた。
次いで、羽根を取り外してシャフトおよび羽根を、全使用量が２００ｍＬ程度になるように溶剤（エタノールとシクロヘキサンを体積比１対２に混合したもの）で２回洗浄し、付着しているピッチを溶出させた。
次いで、ピッチ溶液の溶剤を精秤した容器に回収し、エバポレーターで濃縮後、ピッチ分を１０５℃の乾燥機で１時間乾燥させた。
次いで、薬剤無添加で実施したときのピッチ質量（１００％）と、薬剤添加時のピッチ質量（Ｘ％）とを比較して、ピッチ付着の抑制効果（付着阻止率％）として算出した。
得られた結果をデンプン成分Ｓと水溶性アルミニウム化合物Ａの配合量およびそれらの配合割合Ｓ／Ａと共に表１および２に示す。
表１および２において、実施例および比較例の番号は、それぞれ製剤例および比較製剤例の番号に対応する。
【００５０】
【表１】
2016169465.tif 000003
【００５１】
【表２】
2016169465.tif 000004
【００５２】
図１および２はそれぞれ、ｐＨ８．５および１０のパルプスラリーにおける高塩基性塩化アルミニウムとヒドロキシプロピル化デンプン分解物とのピッチ障害防止の相乗効果を示す図である。
また、図３は、ｐＨ８．５のパルプスラリーにおける硫酸アルミニウムとヒドロキシプロピル化デンプン分解物とのピッチ障害防止の相乗効果を示す図である。
さらに、図４は、ｐＨ８．０のパルプスラリーにおける高塩基性塩化アルミニウムとデキストリンとのピッチ障害防止の相乗効果を示す図である。
横軸に絶乾パルプ質量に対するデンプン成分の配合量（デンプン量、ｇ／ｋｇ）を、縦軸にピッチ障害防止の抑制効果（付着抑制率％）を示す。すなわち、薬剤有効成分の絶乾パルプ質量に対する添加量１５ｇ／ｋｇからデンプン量を減じた量が絶乾パルプ質量に対する水溶性アルミニウム化合物の配合量（ｇ／ｋｇ）になる
【００５３】
表１および図１の結果によれば、混合液がｐＨ８．５である場合、デンプン成分が０ｇ／ｋｇ、すなわち水溶性アルミニウム化合物が１５ｇ／ｋｇのとき、抑制効果が５６％であり、一方、デンプン成分が１５ｇ／ｋｇ、すなわち水溶性アルミニウム化合物が０ｇ／ｋｇのとき、抑制効果が３２％であることから、デンプンと水溶性アルミニウム化合物とを配合したときには、図１において上記の２点を結ぶ直線より上部側の効果、すなわち相乗効果が発揮され、優れたピッチ障害防止効果が得られることがわかる。
また、比較製剤１０〜１２の公知のピッチコントロール剤よりも優れたピッチ障害防止効果が得られることがわかる。
【００５４】
また、同様にして、表２および図２の結果によれば、混合液がｐＨ１０である場合、デンプン成分が０ｇ／ｋｇ、すなわち水溶性アルミニウム化合物が１５ｇ／ｋｇのとき、抑制効果が５３％であり、一方、デンプン量が１５ｇ／ｋｇ、すなわち水溶性アルミニウム化合物が０ｇ／ｋｇのとき、抑制効果が０%であることから、デンプンと水溶性アルミニウム化合物とを配合したときには、相乗効果が発揮され、優れたピッチ障害防止効果が得られることがわかる。
【００５５】
表１および図３の結果によれば、混合液がｐＨ８．５である場合、ヒドロキシプロピル化デンプン分解物が０ｇ／ｋｇ、すなわち硫酸アルミニウムが１５ｇ／ｋｇのとき、抑制効果が６０％であり、一方、ヒドロキシプロピル化デンプン分解物が１５ｇ／ｋｇ、すなわち硫酸アルミニウムが０ｇ／ｋｇのとき、抑制効果が３２％であることから、ヒドロキシプロピル化デンプン分解物と硫酸アルミニウムとを配合したときには、図３において上記の２点を結ぶ直線より上部側の効果、すなわち相乗効果が発揮され、優れたピッチ障害防止効果が得られることがわかる。また、比較製剤４において硫酸アルミニウムを７．５ｇ／ｋｇにした時の単独での効果が低いことからも硫酸アルミニウムとヒドロキシプロピル化デンプン分解物とを配合したときには相乗効果が発揮されていることがわかる。
【００５６】
後述する表３および図４の結果によれば、混合液がｐＨ８．０である場合、デキストリンが０ｇ／ｋｇ、すなわち高塩基性塩化アルミニウムが１５ｇ／ｋｇのとき、抑制効果が５０％であり、一方、デキストリンが１５ｇ／ｋｇ、すなわち高塩基性塩化アルミニウムが０ｇ／ｋｇのとき、抑制効果が４２％であることから、デキストリンと高塩基性塩化アルミニウムとを配合したときには、図４において上記の２点を結ぶ直線より上部側の効果、すなわち相乗効果が発揮され、優れたピッチ障害防止効果が得られることがわかる。
【００５７】
また、表１および２の結果によれば、デンプン成分と水溶性アルミニウム化合物との配合割合を固定し、いずれか一方の化合物を変化させた場合にも、同等の効果が得られることがわかる。
また、ピッチコントロール剤の有効成分としての添加量が、製剤５および６のように７．５ｇ／ｋｇおよび３ｇ／ｋｇになっても十分にピッチ抑制効果が得られることがわかる。
【００５８】
［製剤例２１〜２５および比較製剤例１９〜２４］
デンプン成分および／または水溶性アルミニウム化合物を表３に示す配合量で用いること以外は上記の製剤例と同様にして、製剤２１〜２５および比較製剤例１９〜２４を得た。
【００５９】
試験例２［ピッチ付着の抑制効果の確認試験］
ピッチ分としてアクリル酸エステル樹脂製品（エーワン合同会社製、製品名：ＰＰＣラベル）の水溶解液を用い、ｐＨ無調整（ｐＨ８．０）で、表３に記載の製剤または比較製剤を用いること以外は試験例１と同様にして、ピッチ付着の抑制効果の確認試験を実施した。
得られた結果をデンプン成分Ｓと水溶性アルミニウム化合物Ａの配合量およびそれらの配合割合Ｓ／Ａと共に表３に示す。
表３において、実施例および比較例の番号は、それぞれ製剤例および比較製剤例の番号に対応する。
【００６０】
【表３】
2016169465.tif 000005
【００６１】
表３の結果によれば、ピッチ成分を木材やパルプおよび紙から遊離した天然樹脂やガム物質を想定したロジンやテレピン油から、紙およびパルプの製造工程で使用される添加剤などに由来する有機物を主体とする非水溶性の粘着物質を想定したアクリル酸エステルに置き換えても、試験例１の場合（表１および２の結果）と同様に、水溶性アルミニウムとデンプン成分との配合により相乗効果が発揮され、優れたピッチ抑制防止効果が得られることがわかる。
また、結果を示していないが、ピッチ成分としてエチレン酢酸ビニルを用いた場合でも試験例２と同様に、優れたピッチ抑制防止効果が得られることを試験により確認している。
【符号の説明】
【００６２】
１  恒温水槽
２  ガラス容器
３  シャフト
４  羽根
【図１】
2016169465.tif 000006
【図２】
2016169465.tif 000007
【図３】
2016169465.tif 000008
【図４】
2016169465.tif 000009
【図５】
2016169465.tif 000010